(57)【要約】【課題】自分の好み、そのときの感情・精神状態、使用状況に合わせた香りを制御された強さで供給する、操作性と利便性と制御性に優れた香り発生装置付きテレビジョン受信機を提供する。【解決手段】テレビジョン受信機１と、テレビジョン受信機１のテレビ画面１１外の前面側に設置され、テレビ画面１１の前方に向かって芳香剤を放出する香り発生装置２ａ〜３ｄと、テレビジョン受信機１に信号を送信するテレビ用リモコン装置４ａと、テレビジョン受信機本体に設けられ、テレビ用リモコン装置４ａから送信された信号に従って、テレビ画面１１において、香り発生装置２ａ〜３ｄから放出される芳香剤の香り発生パラメータを設定すると共に、該香り発生パラメータに従って香り発生装置２ａ〜３ｄから芳香剤を放出させる香り発生制御装置１５と、を備えていることを特徴とする香り発生装置付きテレビジョン受信機である。【選択図】図１
2010130471.tif 000002
【特許請求の範囲】
【請求項１】
テレビジョン受信機と、該テレビジョン受信機のテレビ画面外の前面側に設置され、前記テレビ画面の前方に向かって芳香剤を放出する香り発生装置と、前記テレビジョン受信機に信号を送信するテレビ用リモコン装置と、前記テレビジョン受信機本体に設けられ、前記テレビ用リモコン装置から送信された信号に従って、前記テレビ画面において、前記香り発生装置から放出される芳香剤の香り発生パラメータを設定すると共に、該香り発生パラメータに従って前記香り発生装置から芳香剤を放出させる香り発生制御装置と、を備えていることを特徴とする香り発生装置付きテレビジョン受信機。
【請求項２】
前記香り発生装置は、複数個設置されていることを特徴とする請求項１に記載の香り発生装置付きテレビジョン受像機。
【請求項３】
前記設定される香り発生パラメータは、芳香剤の種類、各芳香剤の効能、各芳香剤の放出開始時刻及び放出終了時刻、各芳香剤の放出量の強弱、のうちのいずれか１つ又は２つ以上であることを特徴とする請求項１又は請求項２に記載の香り発生装置付きテレビジョン受像機。
【請求項４】
前記テレビ用リモコン装置は、ニオイセンサユニットを備え、前記香り発生制御装置は、前記ニオイセンサユニットで検知された検知信号を前記テレビ用リモコン装置の送信機能を介して受信し、受信された検知信号に基づいて、前記香り発生装置から放出される芳香剤の放出量の上下限を所定の範囲に制御することを特徴とする請求項１ないし請求項３のいずれか１つの請求項に記載の香り発生装置付きテレビジョン受像機。
【請求項５】
前記ニオイセンサユニットは、前記テレビ用リモコン装置に着脱自在に設けられていることを特徴とする請求項４に記載の香り発生装置付きテレビジョン受像機。
【請求項６】
前記香り発生装置の芳香剤は、前記テレビジョン受信機の作動時に該テレビジョン受像機の筐体内で発生する熱によって気化が助長されることを特徴とする請求項１ないし請求項５のいずれか１つの請求項に記載の香り発生装置付きテレビジョン受像機。
【請求項７】
前記テレビジョン受信機の作動時に該テレビジョン受像機の筐体内で発生する熱は、前記筐体内に配置された熱伝導体によって伝導され、前記熱伝導体に結合された冷却フィンから放出される熱であることを特徴とする請求項６に記載の香り発生装置付きテレビジョン受像機。
【請求項８】
前記香り発生装置は、少なくとも芳香剤を収納する芳香剤容器と、芳香剤容器蓋と、シャッターを備える芳香剤放出部と、送風ファンとを備え、該送風ファンの稼働時の風圧によって、前記シャッターを開放すると共に、前記芳香剤容器蓋を開放することを特徴とする請求項１ないし請求項７のいずれか１つの請求項に記載の香り発生装置付きテレビジョン受像機。
【発明の詳細な説明】
【技術分野】
【０００１】
本発明は、テレビジョン受信機に香り発生装置を備えた香り発生装置付きテレビジョン受信機に関する。
【背景技術】
【０００２】
従来から、香りが、様々な精神的効果や生理的効果を人間に及ぼすことは良く知られている。自分の好みにあった香りを嗅ぐことによって、良い気分になりリラックスすることができる。例えば、ラベンダーの香りは、多くの日本人に対し精神をリラックスさせる効果があることが知られている。又、例えば、柑橘系の香り（具体的例としてリモネンが挙げられる）は、さわやかな刺激臭を有し、気分をリフレッシュしてくれる。そのような柑橘系の香りは、学習や事務処理等の作業効率を向上させてくれる。
【０００３】
一方、アロマポットは、香りの源であるアロマオイルを放出させる装置として知られており、個人や一般家庭で気分をリフレッシュしたりリラックスして精神的なストレスを解消したりするときに利用されている。また、多くの個人、一般家庭ではテレビジョン受信機を所有しており、生活に欠かせない電化製品となっている。テレビジョン受信機は娯楽のみならず、ニュース等の情報や、テレビを使った通信教育、通信販売等様々な役割を担っている。そのため家庭において、人々は、程度の差こそあれ、多くの時間をテレビジョン受信機の前で過ごすことは容易に想像できる。テレビジョン受信機の画面やスピーカーからの音楽は、その内容によっては気分をリラックスさせてくれたり、あるいは反対に興奮させてくれたりする。従って、テレビジョン受信機とアロマポットを同時に使うことによって、視覚・聴覚と嗅覚から同時に刺激を受け、視覚・聴覚効果と嗅覚効果が相乗的に働き、それぞれの効果をより強めることが期待できる。
【０００４】
従来、上記に示されるような効果を創出する装置として、特許文献１には、画像を表示する表示部と、香料を放出する放出部とを備え、画像から得られた香料データに従い、所定の香料を放出させることが開示されている。又、特許文献２には、画像を表示する表示部と、芳香剤を放出する放出部とを備え、画像から得られた香料データに従い、所定の芳香剤を所定の風速と温度で放出させ、さらに放出された芳香剤の匂いを消すために消臭剤の放出を行う装置を備えることが開示されている。又、特許文献３には、パワーアンプ等による発熱を使い芳香剤を気化させるＣＤプレーヤやＡＭ・ＦＭラジオ受信機等が開示されている。
【特許文献１】特開平１０−１０９８７号公報
【特許文献２】特開２０００−２６７６１１号公報
【特許文献３】特開２００５−１５８１６０号広報
【発明の開示】
【発明が解決しようとする課題】
【０００５】
しかしながら、特許文献１や特許文献２に示された装置は、一般大衆、不特定多数のために開発された装置であり、特定の個人の使用あるいは数人程度の特定のグループ（例えば一般の家庭等）での使用は想定されていない。そのため、特許文献１や特許文献２に示された装置は、特定の個人やグループの香りに対する好みや、装置を使用する際の特定の使用者の感情・精神状態や、使用環境等を反映する仕組みを持っていない。敢えて、特定の個人やグループの香りに対する好み、あるいは装置を使用する際の使用者の感情・精神状態、使用環境を反映させたいときには、装置のプログラムを熟知した専門技術者が専用の操作部を用いて行う必要があった。
【０００６】
さらに、香りに対する好みは人それぞれにおいて異なるばかりではなく、その時の感情や精神状態、及び使用環境でも変化する。そのため、特定の個人の使用あるいは数人程度の特定のグループで使用するような装置では、使用者の香りに対する好みのみならず、その時の感情・精神状態、使用環境に合わせて、香り発生の内容（例えば、発生する香りの種類、強さ、時間等）を詳細に変えられる機能を備えることが必要である。つまり、特許文献１や特許文献２で示された装置は、特定の個人やグループの香りに対する好み、あるいは装置を使用する際の使用者の感情・精神状態、使用状況を香り発生機に反映する仕組みを持ち合わせていない。そのため、使用者が香り発生の内容を思いのままに変えることができないという問題点があった。
【０００７】
さらに又、特許文献１や特許文献２に示された装置は、一般大衆、不特定多数のために開発された装置で、装置の前面に来る人は長時間、装置の前面にいることを想定していなし、一般家庭のリビングのような閉空間に設置することを前提としていない。そのため、これらの装置は、放出した香りの強さを測定する手段を備えていない。つまり、リビングのような閉空間に長時間滞在する場合には、放出した香りの強さを測定し、その香りの強さに応じた香り放出を行わないと、閉空間内の香りの強度が必要以上に強くなるという問題点があった。又、特許文献１や特許文献２に示された装置は、放出した香りの強さを測定する手段を備えてはいないため、放出される香りの強さを使用者の求めに応じた強度で変化させることは不可能であった。
【０００８】
本発明の目的は、上記の問題点に鑑みて、一般家庭の居間のような閉空間に設置することを前提とし、テレビジョン受信機を利用しながら、自分の好み、そのときの感情・精神状態、使用状況に合わせた香りを制御された強さで供給する、操作性と利便性と制御性に優れた香り発生装置付きテレビジョン受信機を提供することにある。
【課題を解決するための手段】
【０００９】
上記課題を解決するために、本発明は下記の手段を採用した。
第１の手段は、テレビジョン受信機と、該テレビジョン受信機のテレビ画面外の前面側に設置され、前記テレビ画面の前方に向かって芳香剤を放出する香り発生装置と、前記テレビジョン受信機に信号を送信するテレビ用リモコン装置と、前記テレビジョン受信機本体に設けられ、前記テレビ用リモコン装置から送信された信号に従って、テレビ画面において、前記香り発生装置から放出される芳香剤の香り発生パラメータを設定すると共に、該香り発生パラメータに従って前記香り発生装置から芳香剤を放出させる香り発生制御装置と、を備えていることを特徴とする香り発生装置付きテレビジョン受信機である。
第２の手段は、第１の手段において、前記香り発生装置は、複数個設置されていることを特徴とする香り発生装置付きテレビジョン受像機である。
第３の手段は、第１の手段又は第２の手段において、前記設定される香り発生パラメータは、芳香剤の種類、各芳香剤の効能、各芳香剤の放出開始時刻及び放出終了時刻、各芳香剤の放出量の強弱、のうちのいずれか１つ又は２つ以上であることを特徴とする香り発生装置付きテレビジョン受像機である。
第４の手段は、第１の手段ないし第３の手段のいずれか１つの手段において、前記テレビ用リモコン装置は、ニオイセンサユニットを備え、前記香り発生制御装置は、前記ニオイセンサユニットで検知された検知信号を前記テレビ用リモコン装置の送信機能を介して受信し、受信された検知信号に基づいて、前記香り発生装置から放出される芳香剤の放出量の上下限を所定の範囲に制御することを特徴とする香り発生装置付きテレビジョン受像機である。
第５の手段は、第４の手段において、前記ニオイセンサユニットは、前記テレビ用リモコン装置に着脱自在に設けられていることを特徴とする香り発生装置付きテレビジョン受像機である。
第６の手段は、第１の手段ないし第５の手段のいずれか１つの手段において、前記香り発生装置の芳香剤は、前記テレビジョン受信機の作動時に該テレビジョン受像機の筐体内で発生する熱によって気化が助長されることを特徴とする香り発生装置付きテレビジョン受像機である。
第７の手段は、第６の手段において、前記テレビジョン受信機の作動時に該テレビジョン受像機の筐体内で発生する熱は、前記筐体内に配置された熱伝導体によって伝導され、前記熱伝導体に結合された冷却フィンから放出される熱であることを特徴とする香り発生装置付きテレビジョン受像機である。
第８の手段は、第１の手段ないし第７の手段のいずれか１つの手段において、前記香り発生装置は、少なくとも芳香剤を収納する芳香剤容器と、芳香剤容器蓋と、シャッターを備える芳香剤放出部と、送風ファンとを備え、該送風ファンの稼働時の風圧によって、前記シャッターを開放すると共に、前記芳香剤容器蓋を開放することを特徴とする香り発生装置付きテレビジョン受像機である。
【発明の効果】
【００１０】
本発明によれば、テレビジョン受信機を見ながら、自分の好み、そのときの感情・精神状態に合わせた香りを制御された強さで、供給されたその空間に供給できる。
また、本発明によれば、芳香剤の放出を制御することで、香り発生装置から発生される芳香剤に対しの嗅覚の麻痺を回避し、長時間にわたって香りを心地よいレベルで感じることができる。また外部から部屋に入ってきた人が強烈な匂いで不快になることも防ぐことができる。
また、本発明によれば、冬季等で室温が低い場合にも安定して芳香剤を放出でき、又室温での蒸発量が少ない芳香剤も使用することができる。
【発明を実施するための最良の形態】
【００１１】
本発明の第１の実施形態を図１ないし図８を用いて説明する。
図１は、本実施形態の発明に係る香り発生装置付きテレビジョン受信機の構成を示す斜視図である。
同図に示すように、この香り発生装置付きテレビジョン受信機１（以下、テレビジョン受信機という）は、枠体１０がプラスチック又は金属板等から成り、テレビジョン受信機画面（以下、テレビ画面という）１１を取り囲むように直方体状に形成されている。枠体１０の下部にはスピーカ１２と後述するテレビ用リモコン装置からの赤外線信号を受信する信号受信装置１３が備えられ、テレビジョン受信機１が架台４に載置されている。テレビジョン受信機１のテレビ画面１１は、例えば、液晶表示画面、ＣＲＴ画面、プラズマ表示画面等からなる。枠体１０の正面部（テレビ画面１１）の左側と右側に、香り発生装置２ａ、２ｂ及び３ａ、３ｂが、それぞれ２個ずつ取り付けられている。香り発生装置２ａ、２ｂ及び３ａ、３ｂを取り付ける個数や位置はこれに限定されるものではない。ただし、芳香剤の放出がテレビを見ている者に向かってなされる場合は、枠体１０の正面部が最も適した取り付け部位となる。
なお、同図においては、例として、芳香剤放出部２ａ１、２ｂ１は閉じている状態、芳香剤放出部３ａ１、３ｂ１は開いた状態を表している。従って、香り発生装置２ａ、２ｂからは芳香剤は放出されておらず、香り発生装置３ａ、３ｂからは芳香剤が放出されている。どの香り発生装置が香りを発生させるかは、後述する香り発生制御手段１５からの指令によって制御される。同図においては芳香剤の交換口は省略されている。
【００１２】
図２は、図１に示したテレビジョン受信機１の枠体１０の前面上に香り発生装置２ａ、２ｂ及び３ａ、３ｂを取り付けたものに代えて、テレビジョン受信機１の枠体１０の前面から内部かけて香り発生装置２ａ、２ｂ及び３ａ、３ｂを設置したものである。つまり、香り発生装置２ａ、２ｂ及び３ａ、３ｂを、図１に示すように枠体１０の前面上に取り付けることは必須ではない。
同図に示すように、香り発生装置本体は枠体１０の内部に設置されており、芳香剤放出部２ａ１、２ｂ１及び３ａ１、３ｂ１のみが枠体１０の前面に設けられている。図１と同様に、芳香剤放出部２ａ、２ｂは閉じている状態を表しており、芳香剤放出部３ａ、３ｂは開いた状態を表している。同図においても芳香剤の交換口は省略されている。
【００１３】
図３及び図４に示した香り発生装置２は、図１又は図２に示した４つの香り発生装置２ａ、２ｂ及び３ａ、３ｂの構成を示す側面断面図である。香り発生装置２は、４つの香り発生装置２ａ、２ｂ及び３ａ、３ｂはいずれも同じ構造を持っているので、４つの香り発生装置２ａ、２ｂ及び３ａ、３ｂのうち１つを示している。図３は香り発生装置２が停止した状態及び図４は香り発生装置２が稼働している状態を示している。
これらの図に示すように、香り発生装置枠体２１は、例えば、直方体からなり、香り発生装置枠体２１の芳香剤放出口にはシャッター２２１、２２２、２２３が取り付けられている。これらの図においては、３つのシャッター２２１、２２２、２２３が示されているが、数や大きさはこれに限定されるものではない。シャッター２２１、２２２、２２３は、それぞれシャッター回転軸２３１、２３２、２３３において滑らかに回転できるように構成されている。停止状態では、シャッター自らの重さで下に垂れ下がり、結果として、図３に示すように、芳香剤放出口は閉まっている。
【００１４】
香り発生装置枠体２１の内部には、モーターとファンから成る送風ファン２４と、芳香剤容器２５と、芳香剤２６と、芳香剤２６を担持する担持体２７と、芳香剤容器蓋２８１、２８２と、芳香剤容器蓋２８２を閉めるための芳香剤容器蓋用スプリング２８３が取り付けられている。シャッター２２１、２２２、２２３の材質はプラスチック、金属等でどのようなものでも良いが、送風ファン２４が稼動した際、風圧で図４に示すように開くことができるように、送風ファン２４の風力にあわせてシャッター２２１、２２２、２２３の材質・大きさを設計する必要がある。
【００１５】
担持体２７は、液体状の芳香剤２６を含浸し、芳香剤２６を毛細管現象で担持体２７の上部へと拡散して行くようにするものである。担持体２７によって、芳香剤２６が常に芳香剤容器２５の芳香剤容器蓋２８２近くまで吸い上げられ、芳香剤２６の量が減少しても安定して、芳香剤２６が蒸発させることができる。担持体２７の材料は、フェルトやパルプ以外に、木綿、レーヨン、アセテート、合成樹脂（ポリエチレン、ポリプロピレン、ポリエチレン＋ポリプロピレン混合物、ポリエチレンテレフタレート、メラミン等）、不織布、石綿、無機質成型物等を例示することができるが、特に、フェルト芯、素焼芯、パルプ芯、合成樹脂芯又は無機質成型芯が好ましい。また、担持体２７の形状は、同図に示すような棒状のものに限られず、平板状、リング状等種々の形状とすることが可能である。芳香剤容器蓋２８１、２８２は、ほぼ直交する２つの平板から成っており、芳香剤容器蓋回転軸２８４において、ほぼ直交した状態で回動可能に設けられている。
【００１６】
図３に示すように、香り発生装置２が停止した状態では、芳香剤容器蓋２８２が、芳香剤容器蓋用スプリング２８３により、芳香剤容器２５に蓋を閉める状態になっている。一方、図４に示すように、香り発生装置２が稼動している状態では、送風ファン２４にはテレビジョン受像機１本体から制御されて電力が供給され送風が行われる。送風開始時には、芳香剤容器蓋２８２は、図３に示すように、芳香剤容器２５を覆っているが、送風が始まると垂直になっている芳香剤容器蓋２８１が風を受け、芳香剤容器蓋用スプリング２８３の芳香剤容器蓋２８２による蓋を閉めようとする力に逆らって、芳香剤容器蓋回転軸２８４の周りを回動する。その結果、いままで芳香剤容器２５を蓋していた香剤容器蓋２８２も芳香剤容器蓋回転軸２８４の周りを回動し、回動角度が大凡２０度程度になると、芳香剤容器蓋２８１、２８２の直交する２枚の板が共に風を受け、そのため、さらに香剤容器蓋２８１、２８２は芳香剤容器蓋回転軸２８４の周りを回動する。最終的に香剤容器蓋２８１、２８２が風を受ける力と芳香剤容器蓋用スプリング２８３が香剤容器蓋２８２を閉めようとする力が釣り合った状態のところまで、芳香剤容器蓋２８２が開き、芳香剤容器２５から芳香剤２６が放出される。
【００１７】
つまり、図３に示すように、シャッター２２１、２２２、２２３は、香り発生装置２の停止状態ではシャッター自らの重さで下に垂れ下がり、芳香剤放出口は閉まっているが、図４に示すように、送風が始まると、シャッター２２１、２２２、２２３は風の力で持ち上げられ、結果として芳香剤放出口が開くことになる。
【００１８】
上述のごとく、香り発生装置２は、送風ファン２４に電力が供給されると芳香剤２６が放出され、送風ファン２４を止めればシャッター２２１、２２２、２２３と香剤容器蓋２８２が閉じられ、芳香剤２６の放出が止まる。送風ファン２４は、香り発生装置２から芳香剤２６を放出すると、その作り出す気流で芳香剤２６を効率よくテレビジョン受信機１の前方へと芳香剤２６を拡散させることができる。なお、図３及び図４においては、送風ファン２４の稼動時の風力を利用して、シャッター２２１、２２２、２２３と芳香剤容器蓋２８１、２８２を開くようにしたが、必ずしもこれに限る必要はない。シャッター２２１、２２２、２２３と芳香剤容器蓋２８１、２８２のそれぞれに開閉用のモーターを取り付け、それぞれのモーターのオン・オフでシャッター２２１、２２２、２２３と芳香剤容器蓋２８１、２８２を開閉するようにしてもよい。
【００１９】
図５は、本実施形態の発明に係るテレビジョン受信機１の全体構成を示すブロック図である。
同図に示すように、テレビジョン受信機１本体には、例えば、ＣＰＵ等からなる香り発生制御装置１５、記憶装置１６、信号受信装置１３、テレビ画面１１が設けられ、香り発生制御装置１５には、香り発生装置２ａ、２ｂ及び３ａ、３ｂの送風ファン２４ａ、２４ｂ及び２４ｃ、２４ｄが接続されており、記憶装置１６に内蔵されたプログラムにより後述する各種の制御を行う。信号受信装置１３はテレビジョン受信機用リモコン装置（以下、テレビ用リモコン装置という）４ａからの赤外線信号を受信し、赤外線信号を電気信号に変換し、変換された電気信号を香り発生制御装置１５に受け渡す役割を持つ。香り発生制御装置１５は、テレビ用リモコン装置４ａからの操作に従って、テレビ画面１１を利用して、香り発生装置２ａ、２ｂ及び３ａ、３ｂから放出する芳香剤の香り発生パラメータを設定するための設定画面を表示したり、香り発生装置２ａ、２ｂ及び３ａ、３ｂの稼働状況を表示したり、更には設定された香り発生パラメータに従って、香り発生装置２ａ、２ｂ及び３ａ、３ｂの送風ファン２４ａ、２４ｂ及び２４ｃ、２４ｄへの適当なタイミングでの電力の供給・不供給を制御して、適当なタイミングで稼動・停止の制御を行う。送風ファン２４ａ、２４ｂ及び２４ｃ、２４ｄの稼動・停止に伴って、芳香剤２６が放出されたり、放出が止められる。
【００２０】
香り発生装置２ａ、２ｂ及び３ａ、３ｂを稼動させる香り発生に係る各種のパラメータ（以下、香り発生パラメータという）は、使用者（操作者）がテレビ用リモコン装置４ａを使って、テレビ画面１１に表示された香り発生装置２ａ、２ｂ及び３ａ、３ｂのパラメータ設定画面を見ながら行う。
【００２１】
図６は本実施形態の発明に係るテレビ用リモコン装置４ａの構成を示す平面図であり、図７はテレビ画面１１における香り発生制御に係る選択画面を示す図である。
図６において、香り発生装置２ａ、２ｂ及び３ａ、３ｂを作動させるためには、香り発生装置のパラメータ設定画面用ボタン４１を押す。テレビジョン受信機１の電源が入っている場合は、テレビジョン受信機１によって放送を受信しているテレビ画面１１が図７に示すテレビ画面１１に切り替わる。テレビジョン受信機１の電源が切れている場合には、一旦、テレビジョン受信機１の電源を入れ、その後テレビジョン受信機１のテレビ画面１１を図７に示すテレビ画面１１に切り替える。
【００２２】
図７は、香り発生装置２ａ、２ｂ及び３ａ、３ｂにどのような芳香剤を充填したのかを登録するための「香り登録」モード５１と、香り発生装置２ａ、２ｂ及び３ａ、３ｂの動作を決めるパラメータを設定する「香りを発生させる」モード５２とを選択するための選択画面である。「香り登録」モード５１と「香りを発生させる」モード５２との選択は、図６に示した選択ボタン４６ａと選択ボタン４６ｄのいずれかを選択し、決定ボタン４４を押して決定する。
【００２３】
次に、「香りを発生させる」モードを選択した場合について説明する。図７に示すテレビ画面１１に表示された選択画面において、「香りを発生させる」モード５２を選択すると、図８に示すように、テレビ画面１１は香り発生パラメータ設定画面に切り替わる。なお、図８には、香り発生装置２ａ用の表示と香り発生装置２ｂ用の表示とが示されているが、全ての香り発生装置２ａ、２ｂ、３ａ、３ｂに対し同じ形式のデザインとなっているので、４つの香り発生装置２ａ、２ｂ、３ａ、３ｂを同じテレビ画面１１に表示する場合は、各表示を縮小して４つ並べれば良い。ここでは、図８に示すように、２つの香り発生装置２ａ、２ｂに対するパラメータ設定画面が表示されている。
【００２４】
図８に示すようなパラメータ設定画面が表示されたら、香り発生パラメータを設定するためには、まず、図６に示したテレビ用リモコン装置４ａの４種類の香りの種類選択用ボタン４３を使って、パラメータを設定する香り発生装置を選択する。ここでは、「香１」の香りの種類選択用ボタン４３を押して香り発生装置２ａを選択したとすると、図８においては、「香１」の動作指示マーク５３が明るい表示になる。次に選択ボタン４６ａと選択ボタン４６ｄを使って、芳香剤を放出するスタート時間を設定するのか、又は芳香剤の放出を終える終了時間を設定するのかを選択する。ここでは選択ボタン４６ａを押すと、スタート時間マーク６１が点灯し、選択ボタン４６ｄを押せば終了時間マーク６２が点灯する。
【００２５】
選択ボタン４６ａを押した後、選択ボタン４６ｂと選択ボタン４６ｃを使って、スタートバー５７を右か左に移動することができ、スタート時間５８にスタートバー５７の位置に合わせた時間が表示される。自分の決めたい時間にスタートバー５７がきたら決定ボタン４４を押し決定する。図８ではスタート時間は現時刻から１５分後と表示されている。
【００２６】
同様に、選択ボタン４６ｄを押した後、選択ボタン４６ｂと選択ボタン４６ｃを使って、スタートバー５７を右か左に移動することができ、終了時間５９にスタートバー５７の位置に合わせた時間が表示される。自分の決めたい時間にスタートバー５７がきたら決定ボタン４４を押し決定する。図８では終了時間はスタート時間から３０分後と表示されている。
【００２７】
次に、香りの強さ設定用ボタン４２によって香り発生装置２ａから放出される芳香剤の強さを決定する。ここでは、図８に示すように、芳香剤放出量強度６０は、芳香剤放出量目安５６の「弱」を選択している。
【００２８】
なお、図８に示したパラメータ設定画面においては、各香り発生装置２ａ、２ｂ、３ａ、３ｂ毎の芳香剤の残量を表示６３させたり、各香り発生装置２ａ、２ｂ、３ａ、３ｂから放出される芳香剤毎の効能等の説明５５を設けることもできる。
【００２９】
次に、図８において、芳香剤放出量目安５６の「強」、「中」、「弱」のいずれかに設定された場合、香り発生装置２ａは、いかに芳香剤放出量強度６０の「強」、「中」、「弱」の制御が行われるかについて以下に説明する。
例えば、図３及び図４で示した香り発生装置２においては、送風ファン２４の稼動している時間を制御することによって行うことができる。つまり、芳香剤放出量強度６０が「強」の場合、送風ファン２４を１分稼動させたら１５秒休みとし、芳香剤放出量強度６０が「中」の場合、送風ファン２４を１分稼動させたら３０秒休みとし、芳香剤放出量強度６０が「弱」の場合、送風ファン２４を１分稼動させたら１分休みとすることによって、芳香剤２６の放出量を調整することができる。ここでは、休み時間を変化させたが、稼働時間を変化させたり、両方を同時に変化させることによっても実現することができる。ただし、具体的な稼働時間や休み時間の値については、適当な時間を使用環境や使う芳香剤の種類に応じて決める必要がある。
【００３０】
又は、上記の送風ファン２４の稼働時間と休止期間を制御することに代えて、例えば、図３と図４で示した香り発生装置２において、送風ファン２４の回転数を制御することによっても行うことができる。芳香剤放出量強度６０が「強」の場合、送風ファン２４の回転数を３０００ｒｐｍにし、芳香剤放出量強度６０が「中」の場合、送風ファン２４の回転数を２０００ｒｐｍにし、芳香剤放出量強度６０が「弱」の場合、送風ファン２４の回転数を１０００ｒｐｍにすることで実現することができる。ただし、具体的な回転数の値については、適当な回転数を使用環境や使う芳香剤の種類に応じて決めてやる必要がある。
【００３１】
全ての香り発生装置２ａ、２ｂ、３ａ、３ｂのパラメータ設定が終了したら、選択ボタン４６ｄを使って、図８の「スタート」のスタートマーク６５まで移動し決定ボタン４４を押すことによって、香り発生装置２ａ、２ｂ、３ａ、３ｂを稼動させることができる。
【００３２】
次に、本発明の第２の実施形態を図９ないし図１２を用いて説明する。
図９は、本実施形態の発明に係るテレビ用リモコン装置４ｂの構成を示す平面図、図１０は、本実施形態の発明に係るテレビジョン受信機１の全体構成を示すブロック図である。
図９に示すように、テレビ用リモコン装置４ｂにはニオイセンサユニット７が取り付けられており、このニオイセンサユニット７によってその場のニオイの強度を測定することができる。図１０に示すように、ニオイセンサユニット７で検知されたニオイの強度に係る検知信号は、テレビ用リモコン装置４ｂからテレビジョン受像機１の信号受信装置１３に送信後、香り発生制御装置１５に送信される。記憶装置１６には、香り発生制御装置１５によって、先に述べた香り発生装置２ａ、２ｂ、３ａ、３ｂを動作させたり、テレビ画面１１上で各種の香り発生パラメータを設定するためのプログラムの他に、香り発生制御装置１５においてニオイセンサユニット７で検知された検知信号に基づいて後述の処理を行うプログラムを有する。
【００３３】
図９に示したテレビ用リモコン装置４ｂは、図６に示したテレビ用リモコン装置４ａと比べて、香り発生装置２ａ、２ｂ、３ａ、３ｂのパラメータ設定画面用ボタン４１の下に香り制御用ボタン４７とニオイセンサユニット７が新たに加えられている。ニオイセンサユニット７はテレビ用リモコン装置本体４ｂ１に不図示のコネクターを使って着脱自在に接続されている。ニオイセンサユニット７には、外気取り込み用窓７１が設けられており、テレビ用リモコン装置４ｂ近傍の空気をニオイセンサユニット７の内部に設けられた不図示のニオイセンサに供給するように構成されている。ニオイセンサとしては、金属酸化物半導体センサ、有機導電性ポリマー型センサ、静電容量型センサ、ＭＯＳＦＥＴ型センサ、水晶振動子型センサ、ＳＡＷ型センサ、表面プラズモン共鳴型センサ、蛍光型センサ等があり、いずれのセンサを用いてもよい。ここでは、金属酸化物半導体センサを使った場合を例にして説明する。なお、ニオイセンサユニット７は、不要のときはテレビ用リモコン装置本体４ｂ１から取り外しておくことができる。
【００３４】
図１１は、本実施形態の発明に係るテレビジョン受像機１の使用状況を説明する図である。
同図に示すように、閉空間である部屋８の中には、香り発生装置２ａ、２ｂ及び３ａ、３ｂを取り付けたテレビジョン受信機１が設置されている。そのうち、幾つかの香り発生装置は香りを発生している。テーブル８１の上にはニオイセンサユニット７を取り付けたテレビ用リモコン装置４ｂが置かれている。ニオイセンサユニット７を取り付けたテレビ用リモコン装置４ｂは、使用者の位置付近に置かれていることが望ましい。テーブル８１は本発明の必須の構成ではなく、ニオイセンサユニット７を取り付けたテレビ用リモコン装置４ｂを、使用者の位置付近に置くための便宜上の構成である。赤外線信号８２はニオイセンサユニット７を取り付けたテレビ用リモコン装置４ｂからテレビジョン受信機１の信号受信装置１３に向けて発せられた赤外線の信号を示している。発生した香り８３は香り発生装置２ａ、２ｂ及び３ａ、３ｂから放出した芳香剤の拡散状態を示している。
【００３５】
説明を簡単にするため、香り発生装置２ａのみが動作しているものとする。図１２は、図１０に示した状況下で、ニオイセンサユニット７を取り付けたテレビジョン受信機用リモコン装置４ｂから発せられる赤外線信号８２をもとに香り発生装置２ａが動作したときのニオイセンサユニット７で検知されたニオイ検知信号の出力の時間変化を示すグラフである。横軸は時間で、数字は分を表し、縦軸はニオイセンサユニット７のニオイ検知信号の出力を表している。金属酸化物半導体センサでは、ガス感応部である金属酸化物半導体の電気抵抗値を電圧に換算した値をとる。出力上限９０と出力下限９１は、香り発生装置２ａの動作を制御するために設定するニオイセンサユニット７の出力値の上限値と下限値である。
【００３６】
時間がゼロ（分）を香り発生装置２ａの動作開始９２時刻とする。動作開始９２後３分間は、香り発生装置２ａが芳香剤を放出する前の部屋８のニオイ検知信号の出力測定を行う。この時のニオイセンサの出力が基準値になる。この３分は本発明の必須の要件ではないが、金属酸化物半導体センサでおおよそこのくらいが必要とされている時間の３倍程度である。動作開始後３分間が経過すると、香り発生装置２ａが芳香剤を放出し始める。それに伴ってニオイセンサユニット７の出力値が上昇していく。約８分後、ニオイセンサユニット７の出力値が出力上限９０を下から上に横切る。香り発生制御装置１５は、ニオイセンサユニット７の出力値が出力上限９０を下から上に横切る場合、香り発生装置２ａからの芳香剤の放出を止めるように動作する。そのため、香り発生装置２ａの停止９４で芳香剤の放出は停止する。その後、ニオイセンサユニット７に届く芳香剤の量が減少するので、ニオイセンサユニット７の出力値も低下し、１５分を経過すると、ニオイセンサユニット７の出力値は出力下限９１を上から下に横切ることになる。香り発生制御装置１５は、ニオイセンサユニット７の出力値がこのように出力下限９１を上から下に横切る場合、香り発生装置２ａからの芳香剤の放出を行うように動作させる。そこで、香り発生装置２ａの再稼動９５で、芳香剤の放出が再開される。このようにして、香り発生装置２ａは、図１２に示すような制御過程で制御される。
【００３７】
通常、人間の嗅覚は、同じ匂いを長時間嗅ぐとその匂いに対し嗅覚が低下する。従って、香り発生装置から同じ強さの芳香剤放出がなされた場合、人は次第にその匂いを感じなくなってしまう。匂いを感じなくなってしまった使用者はさらに強い芳香剤放出を行うようになる。適度な強度の香りは心地よいが、強すぎると不快感のみならず吐き気までも感じるようになる場合もある。部屋８におけるニオイの強度を制御しないで、強い芳香剤放出を行った場合、外部から部屋８に入ってきた第三者は不快なまでの強烈な匂いに遭遇するという問題点がある。
【００３８】
本実施形態の発明では、図１２に示すように、芳香剤の放出を波型に制御することによって上記の問題点を解決する。すなわち、ニオイセンサユニット７の出力値の上限がきまっているため、それ以上に芳香剤の放出は行われない。出力上限９０を適当な値に設定することによって、外部から部屋８に入ってきた第三者にも心地よい香りの強さに制御することが可能である。またさらに、部屋８にいる人は、ニオイセンサ出力（Ｖ）９９が低下した時間帯で嗅覚のリフレッシュを行っている。そうすることで、香り発生装置２ａから新たに発生される芳香剤に対し敏感に感じることができ、出力上限９０以下でも十分に長時間にわたって香りを心地よいレベルで感じることができる。
【００３９】
次に、本発明の第３の実施形態を図１３及び図１４を用いて説明する。
図１３は、香り発生装置２ａをテレビジョン受信機１の枠体１０に取り付けた側面断面図である。なお、同図において枠体１０の内部構造は省略されている。
同図においては、香り発生装置２ａ、２ｂ、３ａ、３ｂはいずれも同じ構造を有しているので、香り発生装置２ａの１個のみを示している。枠体１０には、香り発生装置２ａの送風ファン２４に対応する箇所に、孔１００が開けられている。そのため、送風ファン２４は空気の流れ１０２に示されているように、枠体１０内部の空気を香り発生装置２ａを通して外部へと送風する。
【００４０】
テレビジョン受信機１を稼動させると電子回路等から熱が発生することはよく知られている。従って、テレビジョン受信機１を稼動させた状態、あるいは稼動を停止してもテレビジョン受信機１内部がまだ暖まった状態にある場合、空気の流れ１０２はテレビジョン受信機１により暖められた空気１０１の流れとなる。香り発生装置２ａには、暖められた空気１０１が空気の流れ１０２となって流れ込むため、香り発生装置２ａ内部の芳香剤容器２５や芳香剤２６が暖められる。本実施形態の発明によれば、冬季等で室温が低い場合にも安定して芳香剤２６を放出でき、また、室温での蒸発量が少ない芳香剤２６も使用することができる。
【００４１】
図１３では、香り発生装置２ａが枠体１０の外部に取り付けられた場合について説明したが、香り発生装置２ａが、図２に示すように、枠体１０の表面から内部にかけて設けられ場合には、暖められた空気１０１が空気の流れ１０２以外に、テレビジョン受信機１を稼動させることで生じた熱が香り発生装置２ａ全体を暖めるので、テレビジョン受信機１を稼動させることで生じた熱を利用する効率はさらに高まる。
【００４２】
図１４は、図１３に示した構成に加えて、テレビジョン受信機１の内部に生じた熱により加熱される高い熱伝導率を持つ熱伝導体１０４と熱伝導体１０４に取り付けられた冷却用フィン１０３を備えた、テレビジョン受信機１の側面断面図である。
同図に示すように、高い熱伝導率を持つ熱伝導体１０４により、テレビジョン受信機１の内部に生じた熱を香り発生装置２ａ付近に設けられた冷却用フィン１０３に伝え、送風ファン２４によりテレビジョン受信機１の内部に生じた熱を香り発生装置２ａの芳香剤発生に利用するものである。高い熱伝導率を持つ熱伝導体１０４の材料としては、アルミニウムや銅や炭素等がある。
【図面の簡単な説明】
【００４３】
【図１】第１の実施形態の発明に係る香り発生装置付きテレビジョン受信機の構成を示す斜視図である。
【図２】図２は、枠体１０の前面から内部かけて香り発生装置２ａ、２ｂ及び３ａ、３ｂが設置された香り発生装置付きテレビジョン受像機の構成を示す斜視図である。
【図３】図１又は図２に示した４つの香り発生装置２ａ、２ｂ及び３ａ、３ｂの１つの構成を示した側面断面図である。
【図４】図１又は図２に示した４つの香り発生装置２ａ、２ｂ及び３ａ、３ｂの１つの構成を示した側面断面図である。
【図５】本実施形態の発明に係るテレビジョン受信機１の全体構成を示すブロック図である。
【図６】本実施形態の発明に係るテレビ用リモコン装置４ａの構成を示す平面図である。
【図７】テレビ画面１１における香り発生制御に係る選択画面を示す図である。
【図８】テレビ画面１１における香り発生パラメータ設定画面を示す図である。
【図９】第２の実施形態の発明に係るテレビ用リモコン装置４ｂの構成を示す平面図である。
【図１０】本実施形態の発明に係るテレビジョン受信機１の全体構成を示すブロック図である。
【図１１】本実施形態の発明に係るテレビジョン受像機１の使用状況を説明する図である。
【図１２】テレビジョン受信機用リモコン装置４ｂから発せられる赤外線信号８２をもとに香り発生装置２ａが動作したときのニオイセンサユニット７で検知されたニオイ検知信号の出力の時間変化を示すグラフである。
【図１３】第３の実施形態の発明に係る香り発生装置付きテレビジョン受像機において香り発生装置２ａを枠体１０に取り付けた側面断面図である。
【図１４】テレビジョン受信機内に高熱伝導率を有する熱伝導体１０４と熱伝導体１０４に取り付けられた冷却用フィン１０３を備え、テレビジョン受信機１の側面断面図である。
【符号の説明】
【００４４】
１  テレビジョン受信機
１０  枠体
１１  テレビ画面
１２  スピーカ
１３  信号受信装置
１４  架台
１５  香り発生制御装置
１６  記憶装置
２  香り発生装置
２ａ、２ｂ、３ａ、３ｂ  香り発生装置
２ａ１、２ｂ１、３ａ１、３ｂ１ 芳香剤放出部
２１  香り発生装置枠体
２２１、２２２、２２３  シャッター
２３１  シャッター回転軸
２４  送風ファン
２４ａ、２４ｂ、２４ｃ、２４ｄ  送風ファン
２５  芳香剤容器
２６  芳香剤
２７  担持体
２８１、２８２  芳香剤容器蓋
２８３  芳香剤容器蓋用スプリング
２８４  芳香剤容器蓋回転軸
４ａ  テレビ用リモコン装置
４ｂ  テレビ用リモコン装置
４ｂ１  テレビ用リモコン装置本体
４１  パラメータ設定画面用ボタン
４２  香りの強さ設定用ボタン
４３  香り種類選択用ボタン
４４  決定ボタン
４５  戻るボタン
４６ａ、４６ｂ、４６ｃ、４６ｄ  選択ボタン
４７  香り制御用ボタン
５１  「香り登録」モード
５２  「香りを発生させる」モード
５３  動作指示マーク
５５  芳香剤の説明
５６  芳香剤放出量目安
５７  スタートバー
５８  スタート時間
５９  終了時間
６０  芳香剤放出量強度
６１  スタート時間マーク
６２  終了時間マーク
６３、６４  残量表示
６５  スタートマーク
７  ニオイセンサユニット
７１  外気取り込み用窓
８  部屋
８１  テーブル
８２  赤外線信号
８３  発生した香り
９０  出力上限
９１  出力下限
９２  香り発生装置動作開始
９３  ニオイ・センサの基準値測定
９４、９６、９８  香り発生装置動作停止
９５、９７  香り発生装置再稼動
９９  ニオイセンサ出力（Ｖ）
１００  孔
１０１  暖められた空気
１０２  空気の流れ
１０３  冷却用フィン
１０４  熱伝導体
【図１】
2010130471.tif 000003
【図２】
2010130471.tif 000004
【図３】
2010130471.tif 000005
【図４】
2010130471.tif 000006
【図５】
2010130471.tif 000007
【図６】
2010130471.tif 000008
【図７】
2010130471.tif 000009
【図９】
2010130471.tif 000010
【図１０】
2010130471.tif 000011
【図１１】
2010130471.tif 000012
【図１２】
2010130471.tif 000013
【図１３】
2010130471.tif 000014
【図１４】
2010130471.tif 000015
【図８】
2010130471.tif 000016